【事件の表示】
　特許第３０９４５７３号「ディスク駆動装置」の請求項１に係る特許に対する特許異議の申立てについて、次のとおり決定する。
【結　論】
　訂正を認める。
　特許第３０９４５７３号の請求項１に係る特許を維持する。
【理　由】
１ 手続の経緯
　本件特許第３０９４５７３号の請求項１に係る発明についての出願は、平成３年１０月１６日に特許出願され、平成１２年８月４日にこの発明について特許権の設定の登録がなされ、その後、その特許について特許異議の申立てがなされ、取消理由が通知され、その指定期間内である平成１３年８月２０日に訂正請求（平成１３年１２月６日に取り下げがあった）がなされた後、再度の取消理由（訂正拒絶理由を兼ねる）が通知され、その指定期間内である平成１３年１２月６日に訂正請求がなされたものである。
　　
２ 訂正の適否についての判断
　(1) 訂正の内容
　　平成１３年１２月６日付けの訂正請求によって特許権者が求めている訂正の内容は、次のとおりである。
　　ア 訂正事項ａ
　　　願書に添付した明細書(以下、「特許明細書」という。)の特許請求の範囲の請求項１について、
　　「【請求項１】 シャーシの略々中央部にディスクを回転駆動させる駆動モータを有し、上記ディスクに対し情報信号の記録再生を行う記録再生用ヘッドが取付けられたヘッドアームを回動操作して上記記録再生用ヘッドを上記ディスクの半径方向に
移動操作するさせる
設けた
　　　上記ディスクと対向する内側面側の領域に第１の凹状面部が形成され、上記へッドアームが移動する領域及びヘッドアーム駆動モータが配置される内側面側の領域に上記第１の凹状面部より深い第２の凹状面部が形成され、上記駆動モータが配置される
略中央部に
形成されるとともに、この
突設された
　　　上記駆動モータは、上記軸支持部にベアリングを介して回転自在に支持されたスピンドル軸と、上記モータ取付け用凹部内に固定配置されたステータ部と、上記スピンドル軸に一体に設けられ上記ステータ部と対向するように配置されたロータ部とからなことを特徴とするディスク駆動装置。」を、
　　「【請求項１】 シャーシの略々中央部にディスクを回転駆動させる駆動モータを有し、上記ディスクに対し情報信号の記録再生を行う記録再生用ヘッドが取付けられたヘッドアームを回動操作して上記記録再生用ヘッドを上記ディスクの半径方向に
移動操作させる
設け、全体を駆動する制御回路部が構成されたプリント基板が上記シャーシの下面に取り付けられた
　　　上記ディスクと対向する内側面側の領域に第１の凹状面部が形成され、上記へッドアームが移動する領域及びヘッドアーム駆動モータが配置される内側面側の領域に上記第１の凹状面部より深い第２の凹状面部が形成され、上記駆動モータが配置される
略中央部の内側面側に
形成され、外側面側に膨出部が形成され、この膨出部の外周に支持段部が形成され、この支持段部に、電子回路部品が配設されたプリント基板が取り付けられ、上記
突設され、上記第１の凹状面部が設けられた領域の外側面側にこの外側面側と上記プリント基板の電子回路部品がマウントされた面との間に上記電子回路部品を収納する第１の収納空間が設けられるように第１の外側面側凹状面部が設けられ、上記第２の凹状面部が設けられた領域の外側面側にこの外側面側と上記プリント基板の電子回路部品がマウントされた面との間に上記第１の収納空間より浅い第２の収納空間が設けられるように第２の外側面側凹状面部が設けられ、さらに上記第１の外側面側凹状面部の端部に上記制御回路部に対して信号の授受を行うコネクタが設けられた
　　　上記駆動モータは、上記軸支持部にベアリングを介して回転自在に支持されたスピンドル軸と、上記モータ取付け用凹部内に固定配置されたステータ部と、上記スピンドル軸に一体に設けられ上記ステータ部と対向するように配置されたロータ部とからなことを特徴とするディスク駆動装置。」に訂正する。（なお、下線は訂正部分を示す。以下、同じ）
　　イ 訂正事項ｂ
　　　特許明細書の「発明の詳細な説明」の段落【００１４】の記載を次のとおり訂正する。
　　「【課題を解決するための手段】
　　上述したような課題を解決するため提案される本発明は、シャーシの略々中央部にディスクを回転駆動させる駆動モータを有し、上記ディスクに対し情報信号の記録再生を行う記録再生用ヘッドが取付けられたヘッドアームを回動操作して上記記録再生用ヘッドを上記ディスクの半径方向に
移動操作させる
設け、全体を駆動する制御回路部が構成されたプリント基板が上記シャーシの下面に取り付けられたディスク駆動装置において
略中央部の内側面側に
形成され、外側面側に膨出部が形成され、この膨出部の外周に支持段部が形成され、この支持段部に、電子回路部品が配設されたプリント基板が取り付けられ、上記
突設され、上記第１の凹状面部が設けられた領域の外側面側にこの外側面側と上記プリント基板の電子回路部品がマウントされた面との間に上記電子回路部品を収納する第１の収納空間が設けられるように第１の外側面側凹状面部が設けられ、上記第２の凹状面部が設けられた領域の外側面側にこの外側面側と上記プリント基板の電子回路部品がマウントされた面との間に上記第１の収納空間より浅い第２の収納空間が設けられるように第２の外側面側凹状面部が設けられ、さらに上記第１の外側面側凹状面部の端部に上記制御回路部に対して信号の授受を行うコネクタが設けられたシャーシを有し、
　　ウ 訂正事項ｃ
　　　同じく段落【００１７】において、「配設
されてて
されて
　　エ 訂正事項ｄ
　　　同じく段落【００１７】において、「磁気ディスク
２９
２
　　オ 訂正事項ｅ
　　　同じく段落【００２１】において、「ヘッドアーム
６
６
５
５
　　カ 訂正事項ｆ
　　　同じく段落【００３８】において、「凹状面部
２７
３７
　　
　(2) 訂正の目的の適否、新規事項の有無及び拡張・変更の存否
　　ア 訂正事項ａについて
　　　上記訂正事項ａのうち、「移動操作するさせる」を「移動操作させる」にすることは、明らかに誤記の訂正を目的とするものである。
　　　そして、上記訂正事項ａのうち、上記誤記の訂正を除く他の訂正事項は、特許明細書の「発明の詳細な説明」の段落【００２０】、【００２３】、【００３２】、【００３５】、【００３６】、【００３８】、【００４１】及び図４〜図６等の記載を根拠にして、プリント基板、シャーシの構成、及び前記プリント基板とシャーシの相互の関係についてさらに特定するものであるから、特許請求の範囲の減縮を目的とするものである。
　　イ 訂正事項ｂについて
　　　上記訂正事項ｂは、請求項１の訂正に伴って、「特許請求の範囲」の記載と「課題を解決するための手段」の記載との整合を図るものであるから、明りょうでない記載の釈明を目的とするものである。
　　ウ 訂正事項ｃ〜ｆについて
　　　上記訂正事項ｃ〜ｆは、明らかに誤記の訂正を目的とするものである。
　 そして、上記訂正事項ａ〜ｆは、いずれも新規事項の追加に該当するものではなく、また実質上特許請求の範囲を拡張し、又は変更するものでもない。
　　
　(3)むすび
　　以上のとおり、上記訂正請求は、特許法第１２０条の４第２項、及び同条第３項において準用する同法第１２６条第２〜３項の規定に適合するものであるから、当該訂正を認める。
　　
３ 特許異議の申立てについて
　(1) 本件発明
　　訂正明細書の請求項１に係る発明(以下、「本件発明」という。)は、その特許請求の範囲の請求項１に記載された事項により特定されるとおりのものと認める（上記２(1)アの訂正された【請求項１】を参照）。
　　
　(2) 異議申立ての理由の概要
　　特許異議申立人の主張する異議申立ての理由は、大要次のとおりである。
　　本件特許に係る発明は、本件の出願日前の出願(平成３年８月１９日出願)であって、その出願後に出願公開された特願平３−２３２２５８号出願〔特開平５−４７０９９号公報（甲第１号証）参照〕の願書に最初に添付した明細書又は図面(以下「先願明細書」という。)に記載された発明と同一のものであるから、特許法第２９条の２の規定により特許を受けることができないものである。
　　
　(3) 先願明細書に記載された発明
　　先願明細書には、ディスク室の基板の一部を利用して構成されたハードディスク駆動用スピンドルモータの高さを可及的に低く抑えて装置全体の高さを可及的に低くすること、及び空間を有効利用して回路基板を配装することにより装置全体の高さをより一層低くすることを目的とする「ハードディスク装置」に関する発明が記載されている。
　　この先願明細書の段落【００１８】には、「なお、ボイスコイルモータＢ、アーム部材58及び磁気ヘッド60の可動範囲Ｃについては、基盤10の高さが低く構成されている。」と記載されており、また図３には、基盤(10)の上側面が、ハードディスク(42)と対向する領域において高く形成されており、それ以外の領域において低く形成されていることが示されているから、この先願明細書に記載されたハードディスク装置は、ハードディスク(42)と対向する内側面側の領域に第１の凹状面部が形成されていると共に、アーム部材(58)が移動する領域及びボイスコイルモータ(Ｂ)が配置される内側面側の領域に前記第１の凹状面部より深い第２の凹状面部が形成されているものである。
　　してみれば、上記先願明細書には、以下の発明が記載されていることになる。（なお、〔 〕内には、本件発明の対応する用語を示す。）
　　「基盤〔シャーシ〕(10)の略々中央部にハードディスク〔ディスク〕(42)を回転駆動させるスピンドルモータ〔駆動モータ〕(Ａ)を有し、上記ハードディスクに対し情報信号の記録再生を行う磁気ヘッド〔記録再生用ヘッド〕(60)が取付けられたアーム部材〔ヘッドアーム〕(58)を回動操作して上記磁気ヘッドを上記ハードディスクの半径方向に移動操作させるボイスコイルモータ〔ヘッドアーム駆動モータ〕(Ｂ)を基盤の一端側のコーナ部に設け、全体を駆動する制御回路部が構成された回路基板〔プリント基板〕(76)が上記基盤の下面に取り付けられたハードディスク装置〔ディスク駆動装置〕において、
　　上記ハードディスク(42)と対向する内側面側の領域に第１の凹状面部が形成され、上記アーム部材(58)が移動する領域及びボイスコイルモータ(Ｂ)が配置される内側面側の領域に上記第１の凹状面部より深い第２の凹状面部が形成され、上記スピンドルモータ(Ａ)が配置される略中央部の内側面側に上記スピンドルモータが配設される環状凹部〔モータ取り付け用凹部〕(14)が形成され、外側面側に突出部〔膨出部〕(18)が形成され、上記環状凹部の中央部に上記スピンドルモータの回転軸〔スピンドル軸〕(30)が支持される円筒部〔軸支持部〕(16)が突設された基盤(10)を有し、
 　　上記スピンドルモータ(Ａ)は、上記円筒部(16)に玉軸受〔ベアリング〕(22,24)を介して回転自在に支持された回転軸(30)と、上記環状凹部(14)内に固定配置されたステータコア(34)及びステータコイル(36)〔ステータ部〕と、上記回転軸に一体に設けられ上記ステータコア及びステータコイルと対向するように配置されたロータヨーク(38)及びロータマグネット(40)〔ロータ部〕からなるハードディスク装置。」（以下、「先願発明」という。）
　　
　(4) 異議申立ての理由についての判断
　 本件発明と先願発明とを対比すると、先願発明は、上記訂正請求により訂正されて本件発明を特定する事項となった次の構成(i)及び(ii)を具備しておらず、またこれらの構成は先願明細書に示唆もされていないから、本件発明が先願発明と同一であるとは云えない。
　　(i) シャーシの外側面側に形成された膨出部において、この膨出部の外周に支持段部が形成され、この支持段部にプリント基板が取り付けられている点。
　　(ii) シャーシにおいて、第１の凹状面部が設けられた領域の外側面側に、この外側面側とプリント基板の電子回路部品がマウントされた面との間に前記電子回路部品を収納する第１の収納空間が設けられるように第１の外側面側凹状面部が設けられ、第２の凹状面部が設けられた領域の外側面側に、この外側面側と前記プリント基板の電子回路部品がマウントされた面との間に第１の収納空間より浅い第２の収納空間が設けられるように第２の外側面側凹状面部が設けられ、さらに前記第１の外側面側凹状面部の端部に制御回路部に対して信号の授受を行うコネクタが設けられている点。
　　
　(5) 取消理由について
　　当審において通知した最初の取消理由は、上記異議申立ての理由と同じであり（上記３(2)を参照）、また再度の取消理由は、大要次のとおりである。
　　特許明細書において、請求項１及び発明の詳細な説明の記載に不備があるため、本件発明についての特許は、特許法第３６条第４項及び第５項の規定に違反してなされたものである。
　　そこで、上記それぞれの取消理由について検討する。
　　最初の取消理由については、上記３(4)の「異議申立ての理由についての判断」において示した理由により、本件発明についての特許を取り消すことはできない。
　　また、再度の取消理由については、上記訂正請求により特許明細書が訂正され、明細書の記載不備は解消されているから、この取消理由によっても本件発明についての特許を取り消すことはできない。
　　
　(6) むすび
　 以上のとおりであるから、特許異議申立ての理由及び証拠、並びに当審の取消理由及び証拠によっては、本件発明についての特許を取り消すことはできない。
　また、他に本件発明についての特許を取り消すべき理由を発見しない。
　よって、結論のとおり決定する。
【異議決定日】
平成１３年１２月２８日（２００１．１２．２８）
【訂正の要旨】
　訂正の要旨
１　請求項１において、
　「【請求項１】　シャーシの略々中央部にディスクを回転駆動させる駆動モータを有し、上記ディスクに対し情報信号の記録再生を行う記録再生用ヘッドが取付けられたヘッドアームを回動操作して上記記録再生用ヘッドを上記ディスクの半径方向に
移動操作するさせる
設けた
　上記ディスクと対向する内側面側の領域に第１の凹状面部が形成され、上記ヘッドアームが移動する領域及びヘッドアーム駆動モータが配置される内側面側の領域に上記第１の凹状面部より深い第２の凹状面部が形成され、上記駆動モータが配置される
略中央部に
形成されるとともに、この
突設された
　上記駆動モータは、上記軸支持部にベアリングを介して回転自在に支持されたスピンドル軸と、上記モータ取付け用凹部内に固定配置されたステータ部と、上記スピンドル軸に一体に設けられ上記ステータ部と対向するように配置されたロータ部とからなことを特徴とするディスク駆動装置。」とあるを、特許請求の範囲の減縮及び誤記の訂正を目的として、
　「【請求項１】　シャーシの略々中央部にディスクを回転駆動させる駆動モータを有し、上記ディスクに対し情報信号の記録再生を行う記録再生用ヘッドが取付けられたヘッドアームを回動操作して上記記録再生用ヘッドを上記ディスクの半径方向に
移動操作させる
設け、全体を駆動する制御回路部が構成されたプリント基板が上記シャーシの下面に取り付けられた
　上記ディスクと対向する内側面側の領域に第１の凹状面部が形成され、上記ヘッドアームが移動する領域及びヘッドアーム駆動モータが配置される内側面側の領域に上記第１の凹状面部より深い第２の凹状面部が形成され、上記駆動モータが配置される
略中央部の内側面側に
形成され、外側面側に膨出部が形成され、この膨出部の外周に支持段部が形成され、この支持段部に、電子回路部品が配設されたプリント基板が取り付けられ、上記
突設され、上記第１の凹状面部が設けられた領域の外側面側にこの外側面側と上記プリント基板の電子回路部品がマウントされた面との間に上記電子回路部品を収納する第１の収納空間が設けられるように第１の外側面側凹状面部が設けられ、上記第２の凹状面部が設けられた領域の外側面側にこの外側面側と上記プリント基板の電子回路部品がマウントされた面との間に上記第１の収納空間より浅い第２の収納空間が設けられるように第２の外側面側凹状面部が設けられ、さらに上記第１の外側面側凹状面部の端部に上記制御回路部に対して信号の授受を行うコネクタが設けられた
　上記駆動モータは、上記軸支持部にベアリングを介して回転自在に支持されたスピンドル軸と、上記モータ取付け用凹部内に固定配置されたステータ部と、上記スピンドル軸に一体に設けられ上記ステータ部と対向するように配置されたロータ部とからなことを特徴とするディスク駆動装置。」と訂正する。
２　発明の詳細な説明の欄の段落【００１４】を、明りょうでない記載の釈明を目的として、次のとおり訂正する。
　「【課題を解決するための手段】
　上述したような課題を解決するため提案される本発明は、シャーシの略々中央部にディスクを回転駆動させる駆動モータを有し、上記ディスクに対し情報信号の記録再生を行う記録再生用ヘッドが取付けられたヘッドアームを回動操作して上記記録再生用ヘッドを上記ディスクの半径方向に
移動操作させる
設け、全体を駆動する制御回路部が構成されたプリント基板が上記シャーシの下面に取り付けられたディスク駆動装置において
略中央部の内側面側に
形成され、外側面側に膨出部が形成され、この膨出部の外周に支持段部が形成され、この支持段部に、電子回路部品が配設されたプリント基板が取り付けられ、上記
突設され、上記第１の凹状面部が設けられた領域の外側面側にこの外側面側と上記プリント基板の電子回路部品がマウントされた面との間に上記電子回路部品を収納する第１の収納空間が設けられるように第１の外側面側凹状面部が設けられ、上記第２の凹状面部が設けられた領域の外側面側にこの外側面側と上記プリント基板の電子回路部品がマウントされた面との間に上記第１の収納空間より浅い第２の収納空間が設けられるように第２の外側面側凹状面部が設けられ、さらに上記第１の外側面側凹状面部の端部に上記制御回路部に対して信号の授受を行うコネクタが設けられたシャーシを有し
３　同じく段落【００１７】において、「配設
されてて
２９
されて
２
４　同じく段落【００２１】において、「ヘッドアーム
６
６
５
５
５　同じく段落【００３８】において、「凹状面部
２７
３７
（５４）【発明の名称】
ディスク駆動装置
（５７）【特許請求の範囲】
　【請求項１】　シャーシの略々中央部にディスクを回転駆動させる駆動モータを有し、上記ディスクに対し情報信号の記録再生を行う記録再生用ヘッドが取付けられたヘッドアームを回動操作して上記記録再生用ヘッドを上記ディスクの半径方向に移動操作
させる
、全体を駆動する制御回路部が構成されたプリント基板が上記シャーシの下面に取り付けられ
　上記ディスクと対向する内側面側の領域に第１の凹状面部が形成され、上記ヘッドアームが移動する領域及びヘッドアーム駆動モータが配置される内側面側の領域に上記第１の凹状面部より深い第２の凹状面部が形成され、上記駆動モータが配置される略中央部
の内側面側に上記駆動モータが配設されるモータ取り付け用凹部が形成され、外側面側に膨出部が形成され、この膨出部の外周に支持段部が形成され、この支持段部に、電子回路部品が配設されたプリント基板が取り付けられ、
上記第１の凹状面部が設けられた領域の外側面側にこの外側面側と上記プリント基板の電子回路部品がマウントされた面との間に上記電子回路部品を収納する第１の収納空間が設けられるように第１の外側面側凹状面部が設けられ、上記第２の凹状面部が設けられた領域の外側面側にこの外側面側と上記プリント基板の電子回路部品がマウントされた面との間に上記第１の収納空間より浅い第２の収納空間が設けられるように第２の外側面側凹状面部が設けられ、さらに上記第１の外側面側凹状面部の端部に上記制御回路部に対して信号の授受を行うコネクタが設けられた
　上記駆動モータは、上記軸支持部にベアリングを介して回転自在に支持されたスピンドル軸と、上記モータ取付け用凹部内に固定配置されたステータ部と、上記スピンドル軸に一体に設けられ上記ステータ部と対向するように配置されたロータ部とからなことを特徴とするディスク駆動装置。
【発明の詳細な説明】
　【０００１】
　【産業上の利用分野】
　本発明は、小型のハードディスクとして形成された磁気ディスクを記録媒体に用いるディスク駆動装置に関し、さらに詳しくは、シャーシの略々中央部にディスクを回転駆動するディスク回転駆動機構を配設し、上記シャーシの一端側コーナ部に、上記ディスクに情報信号の記録再生を行う記録再生用ヘッドを上記ディスクの半径方向に移動させるヘッドアーム駆動モータを配設したディスク駆動装置に関する。
　【０００２】
　【従来の技術】
　例えば直径を２．５インチとなす小型のハードディスクを記録媒体に用いるディスク駆動装置は、ディスクに記録されたデータを高速でアクセスすることが可能なことや、大量のデータを記憶することができることから、コンピュータ等の情報処理装置の外部記憶装置として用いられている。特に、この種の小型のディスク駆動装置は、持ち運び自由な、いわゆるラップトップタイプのコンピュータやワードプロセッサ等の外部記憶装置として広く用いられている。そこで、従来提案されている小型のハードディスクとして形成された磁気ディスクを記録媒体に用いるディスク駆動装置の一例を図面を参照して説明する。このディスク駆動装置は、図１に示すように構成されてなるものであって、記録媒体となる磁気ディスク５２は、外装筐体の一部を構成するハウジング５１内に配設されたディスク回転駆動機構を構成するディスクテーブル５３上に一体的に装着されている。このディスクテーブル５３上に一体的に装着された磁気ディスク５２は、ディスク回転駆動機構を構成するスピンドルモータ５４によって図１中矢印ａ方向に高速で回転駆動される。また、上記ハウジング５１内には、ヘッドアーム５５とボイスコイルモータ５６とからなるアクチュエータ５７が配設されている。このヘッドアーム５５は、支軸５８を中心として図１中矢印ｂ方向又は矢印ｃ方向に水平に回転自在に軸受等を介して取り付けられている。上記ヘッドアーム５５の先端部には、記録再生用ヘッド及び制御用ヘッドからなる磁気ヘッド装置５９が取り付けられている。上記ヘッドアームを駆動するボイスコイルモータ５６はヘッドアーム５５の後端に設けられたボイスコイル６０とハウジング５１に固定配設された固定ヨーク及び永久磁石からなる磁気回路６１によって構成されている。
　【０００３】
　上記ヘッドアーム５５と固定側の制御回路部６２との間に接続部材としてフレキシブルプリント基板を用いて構成されたフレキシブルケーブル６４、６５が湾曲して配設されている。これらフレキシブルケーブル６４、６５は可撓性を有する帯状をなす薄板状のフレキシブルプリント基板により構成されてなるものであって、一端６４ａ、６５ａをヘッドアーム５５に固定し、他端側６４ｂ、６５ｂを制御回路部６２の入出力端位置に接続固定している。一方のフレキシブルケーブル６４は、移動する磁気ヘッド装置５９と固定側の制御回路部６２とを電気的に接続している。また、他方のフレキシブルケーブル６５は、移動するボイスコイルモータ６０と固定側の制御回路部６２とを電気的に接続している。上記ハウジング５１の上部には蓋が取り付けられて、このハウジング５１全体を密閉構造にしている。
　【０００４】
　このディスク駆動装置は、磁気ディスク５２をスピンドルモータ５４によって図１中矢印ａ方向に高速で回転駆動させながら、ボイスコイルモータ５６によってヘッドアーム５５を支軸５８を中心にして矢印ｂ、ｃ方向に往復駆動させている。そして、磁気ディスク５２の高速回転によりこのディスク５２の記録面からサブミクロン単位の僅かの隙間を有して浮上させられた磁気ヘッド装置５９は、上記ディスク５２の記録面上を径方向に沿って往復移動する。この磁気ヘッド装置５９によって磁気ディスク５２に対し情報信号の記録／再生が行われる。この記録／再生において、記録再生信号やサーボ情報信号等がフレキシブルケーブル６４、６５を介して授受される。このとき、ヘッドアーム５５の往復運動の際にフレキシブルケーブル６４、６５は、その湾曲部６４ｃ、６５ｃを屈伸させることによってヘッドアーム５５の往復運動に追従することになる。
　【０００５】
　このような構成により、ハードディスクとして形成された磁気ディスクを記録媒体に用いたディスク駆動装置は、高速アスセスと大容量の情報信号の記録を可能となし、コンピュータ等の外部記憶装置として用いられている。
　【０００６】
　また、小型の磁気ディスクを内蔵させたディスク駆動装置は、コンピュータと一体化することによって、使用場所を選ばない携帯可能としたラップトップタイプのコンピュータの記憶量やデータアクセススピード等の機能をアップさせている。このようにディスク駆動装置を一体化させた携帯可能なラップトップタイプのコンピュータは、小型であっても、デスクトップタイプのコンピュータに比し情報信号の記憶容量及び機能において大きな差がなくなりつつある。
　【０００７】
　しかし、このディスク駆動装置を一体化したラップトップタイプのコンピュータは、単に重ね合わせるだけの構成であるので、コンピュータ単体のものに比し厚くなってしまっている。
　【０００８】
　そこで、ディスク駆動装置を一体化させた携帯可能なラップトップタイプのコンピュータ等、外部記憶装置としてディスク駆動装置を用いる機器の一層の小型及び軽量化が望まれている。このため、機器の厚さの重要なファクタとなるディスク駆動装置の厚さを薄くすることが進められている。
　【０００９】
　【発明が解決しようとする課題】
　ところで、ディスク駆動装置は、ＩＣ等の電子部品が、シャーシ及びこのシャーシの一側面に重ね合わせるように配設されるプリント回路基板にマウントされている。さらに、ディスク駆動装置の中で最も高さを有するディスク回転駆動機構を構成するスピンドルモータの配設において、このスピンドルモータの高さ方向に重ねるようにプリント回路基板を配設した場合には、ディスク駆動装置の全高は、少なくともスピンドルモータの高さにプリント回路基板の厚さを加えたものとなってしまう。そのため、ディスク駆動装置の薄型化を図ることが極めて困難となる。
　【００１０】
　また、従来提案されているディスク駆動装置は、図２に示すように、スピンドルモータ４５のモータハウジング４０と装置本体をシャーシ４１とを独立した部材で構成している。そして、スピンドルモータ４５は、磁気ディスクを取付けた状態でモータハウジング４０のフランジ部４０ａをシャーシ４１に形成した取付け片４１ａに重ね合わせ、ビス４２等の固定部材を用いて上記シャーシ４１に取付けられている。このスピンドルモータ４５のシャーシ４１への取付けは、記録媒体４３の汚れや腐食を防止するため製造時に、清浄な環境であるクリーンルームで行っている。
　【００１１】
　しかし、互いに重ね合わせられるモータハウジング４０のフランジ部４０ａとシャーシ４１の取付け片４１ａ間の接合部Ｓは、ビス４２により固定されているだけであるので、完全にシールドされているわけでなく、数１０μｍの隙間を数箇所形成している。そのため、この隙間部分から装置本体内に汚染された外気が装置本体内に侵入し、ハードディスク４３を汚損させあるいは腐食させてしまう虞がある。
　【００１２】
　また、モータハウジング４０のフランジ部４０ａをシャーシ４１の取付け片４１ａ上に重ね合わせる構成を採ることにより、シャーシ４１の厚さを厚くしてしまい、装置本体の高さ方向の厚さを厚くしてしまう。さらに、モータハウジング４０のフランジ部４０ａとシャーシ４１の取付け片４１ａの接合部Ｓを含む領域Ｒは、接合処理に必要な領域として部品を配置することができない。このため部品実装面が有効に利用されない。そのため、部品の実装領域が有効に利用されなくなってしまう。
　【００１３】
　そこで、本発明は、上述のような改題を解決し、ハードディスクとして形成された磁気ディスクを記録媒体に用いるディスク駆動装置の薄型化及び小型化を実現することができるディスク駆動装置を提供しようとするものである。
　【００１４】
　【課題を解決するための手段】
　上述したような課題を解決するため提案される本発明は、シャーシの略々中央部にディスクを回転駆動させる駆動モータを有し、上記ディスクに対し情報信号の記録再生を行う記録再生用ヘッドが取付けられたヘッドアームを回動操作して上記記録再生用ヘッドを上記ディスクの半径方向に移動操作
させる
、全体を駆動する制御回路部が構成されたプリント基板が上記シャーシの下面に取り付けられ
の内側面側に上記駆動モータが配設されるモータ取り付け用凹部が形成され、外側面側に膨出部が形成され、この膨出部の外周に支持段部が形成され、この支持段部に、電子回路部品が配設されたプリント基板が取り付けられ、
上記第１の凹状面部が設けられた領域の外側面側にこの外側面側と上記プリント基板の電子回路部品がマウントされた面との間に上記電子回路部品を収納する第１の収納空間が設けられるように第１の外側面側凹状面部が設けられ、上記第２の凹状面部が設けられた領域の外側面側にこの外側面側と上記プリント基板の電子回路部品がマウントされた面との間に上記第１の収納空間より浅い第２の収納空間が設けられるように第２の外側面側凹状面部が設けられ、さらに上記第１の外側面側凹状面部の端部に上記制御回路部に対して信号の授受を行うコネクタが設けられた
　【００１５】
　【作用】
　本発明に係るディスク駆動装置は、駆動モータがシャーシに一体的に組み込まれることにより、装置全体の薄型化が図られる。
　【００１６】
　【実施例】
　本発明に係るディスク駆動装置の具体的な実施例を図面を参照しながら説明する。
　【００１７】
　本発明に係るディスク駆動装置は、図３に示すように、ハードディスクとして形成された磁気ディスクを回転駆動させるディスク回転駆動機構を構成するスピンドルモータ１が装置本体を構成するシャーシ１０の略々中央部に
配設されて
磁気ディスク２
　【００１８】
　上記磁気ヘッド装置３は、図４に示すように、磁気ディスク２の相対向する両面にそれぞれ対向する一対のヘッドチップ３ａ、３ｂを備えて構成されている。
　【００１９】
　そして、磁気ヘッド装置３を先端側に取付けたヘッドアーム５を回動操作するヘッドアーム駆動モータ４は、図４に示すように、シャーシ１０の一端側のコーナ部に配設されている。このヘッドアーム駆動モータ４は、ヘッドアーム５の後端側に取付けられた駆動コイル４ａと、この駆動コイル４ａと対向配置されるマグネット４ｂ及びヨーク４ｃとから構成されてなる。
　【００２０】
　そして、本発明に係るディスク駆動装置は、上記スピンドルモータ１及び各種の電子部品がマウントされて制御回路が構成される後述するプリント回路基板が取付けられる一体に形成されたシャーシ１０を備えている。このシャーシ１０は、スピンドルモータ１によって回転駆動されるディスクテーブル上に取付けられる磁気ディスク２が対向する領域部分に第１の凹状面部１１が形成されている。この第１の凹状面部１１は、磁気ディスク２を収納するに足る深さＤ１をもって形成されている。すなわち、上記第１の凹状面部１１は、磁気ディスク２の厚さより僅かに深く形成され、この凹状面部１１内で磁気ディスク２が自由に回転するに足る深さをもって形成されている。
　【００２１】
　また、上記シャーシ１０の磁気ヘッド装置３を取付けた
ヘッドアーム５及びこのヘッドアーム５を
　【００２２】
　なお、第１及び第２の凹状面部１１，１２が形成されたシャーシ１０の内側面側の外周縁側には、立上り周壁１３が形成されている。
　【００２３】
　さらに、シャーシ１０のスピンドルモータ１が配設される中央部分には、このスピンドルモータ１が嵌合される如く配設されるモータ取付け用凹部１４が形成されている。このシャーシ１０のモータ取付け用凹部１４が形成された部分は、図４中下方側である外側面側に膨出された膨出部１５となされている。すなわち、シャーシ１０は、内面側に立上り形成した立上り周壁１３の先端から上記膨出部１５の底面に至る高さが、このシャーシ１０の高さＨ１となされている。
　【００２４】
　また、上記このモータ取付け用凹部１４の中心部には、スピンドルモータ１のスピンドル軸２２が挿通支持される円筒状をなす軸支持部１７が突設されている。
　【００２５】
　ところで、スピンドルモータ１を構成するスピンドル軸２２には、磁気ディスク２が載置されるディスクテーブル２４及びロータマグネット２５が取付けられるロータマグネット取付け片２６が一体に設けられている。すなわち、ディスクテーブル２４は、図４に示すように、スピンドル軸２２の上端側の外周囲に一体に形成され、ロータマグネット取付け片２６は、ディスクテーブル２４の外周縁側の一側面にスピンドル軸２２を囲むように垂下する如く形成されている。そして、ロータマグネット２５は、ロータマグネット取付け片２６の内周面側に一体に取付けられている。このように、ディスクテーブル２４及びロータマグネット２５が取付けられたロータマグネット取付け片２６を一体に設けたスピンドル軸２２は、スピンドルモータ１のロータを構成する。
　【００２６】
　上述のように形成されたスピンドル軸２２は、図５に示すように、軸支持部１７にベアリング２７を介して回転自在に挿通支持される。このとき、ロータマグネット２５が取付けられたロータマグネット取付け片２６は、モータ取付け用凹部１４内に挿入配設される。また、軸支持部１７の外周側には、ステータヨーク２８が取付けられいる。このステータヨーク２８の両面にステータコイル２８ａ，２８ｂを配設することによってスピンドルモータ１のステータ部が構成されてなる。このステータ部は、モータ取付け用凹部１４内で構成されてなる。
　【００２７】
　また、スピンドル軸２２に一体に設けられたディスクテーブル２４は、モータ取付け用凹部１４の開口端縁側に臨むように位置し、磁気ディスク２が装着される。この磁気ディスク２は、ディスクテーブル２４の中央部に突設された突部２４ａに中心孔２ａを嵌合させ、上記突部２４ａの外周囲に形成されたディスク載置段部２４ｂ上に中心孔２ａ周縁を支持させることにより、上記ディスクテーブル２４に装着位置が位置決めされて装着される。従って、ディスクテーブル２４は、磁気ディスク２を第１の凹状面部１１内に位置する高さに形成されてなる。
　【００２８】
　そして、上記ディスクテーブル２４上に装着された磁気ディスク２は、ディスクテーブル２４上に固定ネジ３０を介して取付けられるディスククランパ３１に支持されて上記ディスクテーブル２４に一体化される。すなわち、磁気ディスク２は、ディスクテーブル２４とディスククランパ３１とにより挾持されて上記ディスクテーブル１４に一体的に取付けられ、上記ディスクテーブル２４と一体にスピンドルモータ１により回転駆動される。
　【００２９】
　また、シャーシ１０に形成されたスピンドル軸２２が嵌合配設される円筒状の軸支持部１７の下端側の開口端１７ａは、図５に示すように薄い金属板や合成樹脂シート等からなる閉塞板３２により閉塞されている。この閉塞板３２は、シャーシ１０の下面側から突出することがないように、軸支持部１７の下端側の開口端側１７ａの周縁に形成された収納凹部３３内に配設されている。
　【００３０】
　上述のように、磁気ディスク２を回転駆動するスピンドルモータ１は、本発明に係るディスク駆動装置の装置本体を構成するシャーシ１０に一体的に組み込まれてなる。そして、スピンドルモータ１及び磁気ディスク２が配設されたシャーシ１０の内側面側は、上蓋３５によって閉塞されている。この上蓋３５は、シャーシ１０の内側面側の各コーナ部に設けたネジ固定部に螺合される固定ネジにより上記シャーシ１０に固定される。
　【００３１】
　そして、本発明に係るディスク駆動装置は、上述のように、モータ取付け用凹部１４を利用してスピンドルモータ１を構成し、第１及び第２の凹状面部１１，１２内に磁気ディスク２及び磁気ヘッド装置３を配設し、これら磁気ディスク２及び磁気ヘッド装置３を覆うように上蓋３５を取付けた状態で、上蓋３５の上面からシャーシ１０に形成した膨出部１５の底面に至る高さである本発明に係るディスク駆動装置の厚さＨ２は、１０ｍｍ以下となされる。
　【００３２】
　また、図４に示す装置本体を構成するシャーシ１０のスピンドルモータ１及び磁気ディスク２が配設される内側面側と対向する外側面側には、第１の外側面側凹状面部３６及び第２の外側面側凹状面部３７が形成されている。上記第１の外側面側凹状面部３６は、第１の凹状面部１１が形成された側に形成され、モータ取付け用凹部１４が形成された膨出部１５の周囲からシャーシ１０の他端部１０ｂ側に亘る範囲に形成されている。また、第２の外側面側凹状面部３７は、第２の凹状面部１２が形成された側に形成され、膨出部１５の周囲からシャーシ１０の一端部１０ａ側に亘る範囲に形成されている。ところで、第１の外側面側凹状面部３６は、第２の凹状面部１２に比し深さが浅い第１の凹状面部１１側に形成されてなるので、第２の外側面側凹状面部３７に比しその深さを深く形成されてなる。
　【００３３】
　なお、シャーシ１０の第１及び第２の外側面側凹状面部３６，３７が形成された側である外側面側の各コーナ部には、膨出部１５の先端面と高さを略同一にする脚片１１０ａ，１１０ｂ，１１０ｃ，１１０ｄがそれぞれ突設されている。
　【００３４】
　また、シャーシ１０の第１及び第２の外側面側凹状面部３６，３７が形成された側である外側面側には、これら外側面側凹状面部３６，３７及び第１及び第２の凹状面部１１，１２が形成されることによる肉薄化されるシャーシ１０の強度を上げるため、補強用リブ７１が立上り形成されている。この補強用リブ７１は、第１及び第２の外側面側凹状面部３６，３７内に１．５ｍｍ程度の高さを有する突条として格子を構成するように形成されている（図４参照）。
　【００３５】
　そして、シャーシ１０の第１及び第２の外側面側凹状面部３６，３７が形成された下面側には、このディスク駆動装置を駆動制御する制御回路部が構成されたプリント回路基板４２が取付けられている。このプリント回路基板４２は、第１及び第２の外側面側凹状面部３６，３７の略全領域を覆うようにしてシャーシ１０に取付けられる大きさに形成されている。このプリント回路基板４２の膨出部１５に対応する部分には、この膨出部１５を突出させる開口部４３が穿設されている。そして、上記プリント回路基板４２は、開口部４３から膨出部１５の先端を突出させるようにして、シャーシ１０の下面側に形成された脚片１１０ａ，１１０ｂ，１１０ｃ，１１０ｄの内方側近傍に植立したビス孔４４を穿設したボス部４５ａ，４５ｂ，４５ｃ，４５ｄに載置し、上記ビス孔４４に螺合させる固定ビス４６によりシャーシ１０の下面側に取付けられる。
　【００３６】
　ところで、プリント回路基板４２は、図６に示すように、上記ボス部４５ａ，４５ｂ，４５ｃ，４５ｄ、シャーシ１０の下面側に突設した取付け高さ位置規制突起４６及び膨出部１５の外周側周縁に形成した開口部４３の周縁を支持する支持段部４７により上記シャーシ１０の下面に対する取付け高さ位置が規制されてなる。すなわち、プリント回路基板４２は、第１の外側面側凹状面部３６の底面及び第２の外側面側凹状面部３７の底面との間に、このプリント回路基板４２上にマウントされる電子部品を収納し得る収納空間４８，４９が構成されるように配置されてなる。
　【００３７】
　また、プリント回路基板４２のシャーシ１０の下面に対する取付け高さ位置を規制するボス部４５ａ，４５ｂ，４５ｃ，４５ｄ、取付け高さ位置規制突起４６及び膨出部１５の外周側周縁に形成した支持段部４７は、上記プリント回路基板４２を支持したとき、このプリント回路基板４２が、脚片１１０ａ，１１０ｂ，１１０ｃ，１１０ｄから突出しない高さに形成されている。すなわち、ボス部４５ａ，４５ｂ，４５ｃ，４５ｄ、取付け高さ位置規制突起４６及び支持段部４７と脚片１１０ａ，１１０ｂ，１１０ｃ，１１０ｄとの高さの差がプリント回路基板４２の厚さより大きくなるように形成されている。
　【００３８】
　上述のようにシャーシ１０の下面側にプリント回路基板４２を取付けたとき、このプリント回路基板４２と第１の外側面側凹状面部３６の底面との間に３．０ｍｍ程度の収納空間４８が構成され、上記プリント回路基板４２と第２の外側面側
凹状面部３７
　【００３９】
　上述のように、第１の外側面側凹状面部３６及び第２の外側面側凹状面部３７を利用して収納空間４８，４９が構成されることから、これら収納空間４８，４９を利用してプリント回路基板４２上にマウントされるＩＣチップ部品、コイル、水晶発振器等の電子回路部品１０１が収納配置される。
　【００４０】
　なお、プリント回路基板４２と第１の外側面側凹状面部３６の底面との間に構成される収納空間２５は３．０ｍｍであるので、この収納空間４８には厚さが２．９ｍｍ以下の電子部品１０１が収納配置される。また、プリント回路基板４２と第２の外側面側凹状面部３７の底面との間に構成される収納空間４９は１．９ｍｍであるので、この収納空間２６に収納される電子部品１０１は、厚さが１．８５ｍｍ以下のものが収納配置される。
　【００４１】
　上述のようにプリント回路基板４２が配設されるシャーシ１０の下面側の他端部には、磁気ヘッド装置３により磁気ディスク２に記録され、あるいは磁気ディスク２から再生されるデータやプリント回路基板４２上に構成される制御回路部に入力される制御信号等の信号の授受を行うコネクタ１１７が取付けられている。このコネクタ１１７は、図４に示すように、第１の外側面側凹状面部３６の端部に位置し、収納空間４８内に収納されて配設されてなる。また、上記コネクタ１１７は、各種の外部機器との互換性をもった接続を可能となすため、２５個のコネクタピン１１７ａを２列に配した５０ピンのものが用いられている。さらに、上記コネクタ１１７は、シャーシ１０の他端部の幅に略等しい幅に形成されている。すなわち、シャーシ１０の他端部の略全幅に亘ってコネクタ１１７が臨まされている。
　【００４２】
　【発明の効果】
　上述したように、本発明は、駆動モータをシャーシを利用し、このシャーシに一体的に組み込んでいるので、装置全体の薄型化及び小型化を容易に実現することができる。
　【００４３】
　さらに、駆動モータはシャーシと一体的に構成されるので、駆動モータをシャーシに取り付けたときに、駆動モータとシャーシとの間に隙間を発生させることもなく、装置本体の密閉性を確保することができる。
【図面の簡単な説明】
　【図１】
　従来のディスク駆動装置の装置本体内部を示す概略平面図である。
　【図２】
　従来のディスク駆動装置を構成するシャーシにスピンドルモータを取付けた状態の要部拡大断面図である。
　【図３】
　本発明に係るディスク駆動装置の装置本体内部を示す平面図である。
　【図４】
　図３のＩＶ−ＩＶ線断面図である。
　【図５】
　本発明に係るディスク駆動装置の要部拡大断面図である。
　【図６】
　基板上面に実装される部品のシャーシに対する配置状態を示す平面図である。
　【符号の説明】
　１　スピンドルモータ、　２　磁気ディスク、　３　磁気ヘッド装置、　４　ヘッドアーム駆動モータ、　１０　シャーシ、　１４　モータ取付け用凹部、　１７　軸支持部、　２２　スピンドル軸、　２４　ディスクテーブル、　２５　ロータマグネット、　２７　ベアリング、　２８　ステータヨーク、